(57)【要約】【課題】死角を消し車両感知警告をするシステムの提供。【解決手段】本考案は、電動サイドミラーに係り、特に死角を消し車両感知警告をするシステムを提供する。本考案においてサイドミラー本体１０は内部にミラー１０１を備え、モーター１２はサイドミラー本体１０内に設置し、しかもミラー１０１と接続してミラー１０１の角度を制御し、センサー１４はサイドミラー本体１０内に設置して周囲に接近する物体を探知し、制御チップユニット１８はサイドミラー本体１０内部に設置し、それぞれをセンサー１４、モーター１２と接続、センサー１４内部で感知した信号を制御チップユニット１８内に伝送し、更にモーター１２を制御することにより、ミラー１０１を運転者に最良の角度に調整し、このようにして運転者の走行の安全性を向上させることができる。【選択図】図１
0003145654.tif 000002
【実用新案登録請求の範囲】
【請求項１】
内部にミラーを具えるサイドミラー本体と、
サイドミラー本体内に設置し、しかもミラーと接続してミラー角度を制御するモーターと、
サイドミラー本体内に設置して周囲に接近する車両や異物を探知する為のセンサーと、  サイドミラー本体内部に設置し、それぞれをセンサー、モーターに接続する制御チップユニットと、により構成され、
前記センサー内部で他車や異物が車両の死角に入った時の信号を感知し、その信号を制御チップユニット内に伝送し、更にモーターを制御してミラーを一定角度に開くが、その開く角度は、死角に入った車両や異物を運転者が簡単に見ることができる角度であることを特徴とする死角を消し車両感知警告をするシステム。
【請求項２】
請求項１記載の死角を消し車両感知警告をするシステムにおいて、記の制御チップユニットは、有線方式で車内に接続し、或いは無線方式で車内に接続することを特徴とする死角を消し車両感知警告をするシステム。
【請求項３】
請求項１記載の死角を消し車両感知警告をするシステムにおいて、制御チップユニットは、車両上のウィンカーレバーに接続し、ウィンカーレバーを起動すると制御チップユニットは信号を発信し、ミラー角度を制御することを特徴とする死角を消し車両感知警告をするシステム。
【請求項４】
請求項１記載の死角を消し車両感知警告をするシステムにおいて、制御チップユニットは車両上のバックギアレバーに接続し、バックギアレバーによって制御チップユニットに信号を発信させ、ミラー角度を制御することを特徴とする死角を消し車両感知警告をするシステム。
【請求項５】
請求項１記載の死角を消し車両感知警告をするシステムにおいて、前記の死角を消し車両感知警告をするシステムを具える電動サイドミラーは、更に、運転者が即時に見ることができるデジタル画像表示ユニットを更に含み、該デジタル画像表示ユニットは、制御チップユニットに接続し、しかも車両内部に設置することを特徴とする死角を消し車両感知警告をするシステム。
【考案の詳細な説明】
【技術分野】
【０００１】
本考案は電動サイドミラーに関するものであり、特に、死角を消し車両感知警告をするシステムに係る。
【背景技術】
【０００２】
公知のサイドミラーの設計において、広範な死角、即ち運転者の目に入らない所が一般に存在する。例えば、自動車の車体に遮られたりサイドミラーの反射角度の影響等により、運転者の視界は左折右折及び車線変更時に制限を受けている。特に、後方車が車体ドアの左右両側にある場合、一般に車外のサイドミラーに映らず死角となって見えない為、運転者は後方車がないと誤った判断をし、交通事故を起こすこともあり、走行の安全性に影響を及ぼしている。バックして車庫に入れたり、路上駐車する場合もまた、自動車の車体に遮られたりミラーの反射角度の影響により、視界が大きく制限されて衝突を引き起こすこともある。
【考案の開示】
【考案が解決しようとする課題】
【０００３】
本考案の主な目的は、センサーをサイドミラー本体内に設置し、車両周囲の状態を探知し、異物が車両に接近すると、制御チップユニットがモーターを駆動してミラーを動かしサイドミラーの角度を拡大することにより、死角を消す効果を達成、運転者は車両走行の安全性を更に高くすることが可能となる、死角を消し車両感知警告をするシステムを提供することにある。
【０００４】
本考案のもう一つの目的は、（インテリジェントセンサー）制御チップ、ウィンカーレバー、ギアレバー、及び多段角度制御キーによって、自動または手動方式でミラー角度を制御することにより、死角を消し同様の効果を達成させる。
【０００５】
前述の目的を達成させる為に、本考案は、電動サイドミラーに係り、特に死角を消し車両感知警告をするシステムを提供する。本考案においてサイドミラー本体は内部にミラーを備え、モーターはサイドミラー本体内に設置し、しかもミラーと接続してミラーの角度を制御し、センサーはサイドミラー本体内に設置して周囲に接近する物体を探知し、制御チップユニットはサイドミラー本体内部に設置し、それぞれをセンサー、モーターと接続、センサー内部で感知した信号を制御チップユニット内に伝送し、更にモーターを制御することにより、ミラーは運転者の最良角度に調整され、このようにして運転者の走行の安全性を向上させることができる。
【課題を解決するための手段】
【０００６】
請求項１の考案は、内部にミラーを具えるサイドミラー本体と、
サイドミラー本体内に設置し、しかもミラーと接続してミラー角度を制御するモーターと、
サイドミラー本体内に設置して周囲に接近する車両や異物を探知する為のセンサーと、  サイドミラー本体内部に設置し、それぞれをセンサー、モーターに接続する制御チップユニットと、により構成され、
前記センサー内部で他車や異物が車両の死角に入った時の信号を感知し、その信号を制御チップユニット内に伝送し、更にモーターを制御してミラーを一定角度に開くが、その開く角度は、死角に入った車両や異物を運転者が簡単に見ることができる角度であることを特徴とする死角を消し車両感知警告をするシステムとしている。
請求項２の考案は、請求項１記載の死角を消し車両感知警告をするシステムにおいて、記の制御チップユニットは、有線方式で車内に接続し、或いは無線方式で車内に接続することを特徴とする死角を消し車両感知警告をするシステムとしている。
請求項３の考案は、請求項１記載の死角を消し車両感知警告をするシステムにおいて、制御チップユニットは、車両上のウィンカーレバーに接続し、ウィンカーレバーを起動すると制御チップユニットは信号を発信し、ミラー角度を制御することを特徴とする死角を消し車両感知警告をするシステムとしている。
請求項４の考案は、請求項１記載の死角を消し車両感知警告をするシステムにおいて、制御チップユニットは車両上のバックギアレバーに接続し、バックギアレバーによって制御チップユニットに信号を発信させ、ミラー角度を制御することを特徴とする死角を消し車両感知警告をするシステムとしている。
請求項５の考案は、請求項１記載の死角を消し車両感知警告をするシステムにおいて、前記の死角を消し車両感知警告をするシステムを具える電動サイドミラーは、更に、運転者が即時に見ることができるデジタル画像表示ユニットを更に含み、該デジタル画像表示ユニットは、制御チップユニットに接続し、しかも車両内部に設置することを特徴とする死角を消し車両感知警告をするシステムとしている。
【考案の効果】
【０００７】
本考案の死角を消し車両感知警告をするシステムを具える電動サイドミラーは、死角を消す効果を達成、運転者は車両走行の安全性を更に高くすることが可能となることを特徴とする。
【考案を実施するための最良の形態】
【０００８】
図１に本考案の死角を消し車両感知警告をするシステムを具える電動サイドミラーに関する立体図を、図２に本考案の死角を消し車両感知警告をするシステムを具える電動サイドミラーに関する実施例図を、図３に本考案の死角を消し車両感知警告をするシステムを具える電動サイドミラーに関するブロック図を示す。図に示す通り、サイドミラー本体１０は内部にミラー１０１を備え、モーター１２はサイドミラー本体１０内に設置し、しかもミラー１０１と接続してミラー１０１の角度を制御し、センサー１４はサイドミラー本体１０内に設置して周囲に接近する物体や車両１６を探知し、制御チップユニット１８はサイドミラー本体１０内部に設置し、それぞれをセンサー１４、モーター１２と接続、センサー１４内部で感知した信号を制御チップユニット１８内に伝送し、更にモーター１２を制御することにより、ミラー１０１は運転者に対して最良角度に調整され、運転者の走行の死角を消す。
【０００９】
制御チップユニット１８の信号線は車両上のウィンカーレバーに接続し、ウィンカーを起動させると、制御チップユニット１８は信号を発信し、ミラー１０１の反射角度をコントロールする。制御チップユニット１８の信号線と車両上のバックギアレバーに接続することも可能であり、バックギアレバーによって制御チップユニット１８はミラー１０１に下方向角度偏移回転の信号を生じさせ、運転者は見えるサイドミラーの下方向角度もまたこれに従い変化し、死角を消す効果を達成する。
【００１０】
制御チップユニット１８は、多種角度を調整することによって各種車両に適合させられ、しかも使用者が自分で調整することができる。並びに、制御チップユニット１８は多数の反射ミラーの角度を記憶可能であり、異なる運転者の個々の記憶調整を行うことができる。また、制御チップユニット１８は更に、多段角度制御キーに接続することも可能である。該多段角度制御キーは、回転ツマミ、レバー、プッシュボタンの何れかの形式で構成され、並びに、車体ドア、装置パネル、ハンドル、ギア箇所の何れかに設置し、ミラー１０１の角度を操作するのに用い、運転者に更に確かな安全性を提供する。
【００１１】
また、制御チップユニット１８はミラー１０１角度を多数記憶可能であり、多段角度制御キーの回転ツマミ、レバー、プッシュボタンの何れかの形式によって調整を行うか、センサー１４によって自動調整して異なる運転者に適合させる。また、制御チップユニット１８もまた、車体ドア、装置パネル、ハンドル、ギア等の多くの箇所に設置することが可能であり、有線または無線の方式で車内との信号連結を行う。センサー１４は異物や車両が近づいたことを探知すると、死角を消す機能が自動的に働き、サイドミラーの角度はこれに従い外向きに開かれる。この時、後方運転者の死角を更に消す動作として、車体内に別にライト警告装置を取り付け、センサー１４が異物の接近を探知した時、即刻、警告信号を発する。この時、ライト警告装置は点滅しブザーを鳴らし、運転者に両側のサイドミラーに注意することを促す。更に、本考案の制御チップを組み合わせ、ミラー角度を調整し見える範囲を広げて死角を作らない目的を達成することにより、走行の安全性を高める。また、これは、人間的な操作に非常にマッチするものである。
【００１２】
図３に、本考案の別の特徴を示す。それは、運転者が即時見ることのできるデジタル画像表示ユニット２０を更に含む。デジタル画像表示ユニット２０は、制御チップユニット１８と接続し、車両内部に設置する。  
【図面の簡単な説明】
【００１３】
【図１】本考案の死角を消し車両感知警告をするシステムを具えるに関する立体図。
【図２】本考案の死角を消し車両感知警告をするシステムを具えるに関する実施例図。
【図３】本考案の死角を消し車両感知警告をするシステムを具えるに関するブロック図。
【符号の説明】
【００１４】
１０      サイドミラー本体
１０１    ミラー
１２      モーター
１４      センサー
１６      車両
１８      制御チップユニット
２０      デジタル画像表示ユニット
【図１】
0003145654.tif 000003
【図２】
0003145654.tif 000004
【図３】
0003145654.tif 000005